(57)【特許請求の範囲】
【請求項１】
シート状物のロール体を収納するとともに、外に引き出された前記シート状物を切断する切刃を備えている収納ケースであって、
前記ロール体が収納されるケース本体と、
このケース本体から連設されて該ケース本体の開口部を開閉する蓋体と、
この蓋体から連設されて前記ケース本体の長辺一側立上り壁に重なり合うシート押え片と、
前記長辺一側立上り壁との連設コーナに沿う底面壁に固着されて前記ケース本体内から引き出された前記シート状物を切断する切刃と、を備え、
前記シート押え片は、前記長辺一側立上り壁の全面に沿って重なり、かつ、前記切刃の刃先を覆うように前記連設コーナから飛び出す程度の幅広状に形成され、さらに、当該幅方向の略中央部位に長辺方向の折り目を備えているとともに、飛出し先端縁に開封用指掛け凸部を備え、
前記シート押え片の前記折り目から前記飛出し先端縁に至る先端側領域を、前記ケース本体の前記長辺一側立上り壁の表面にスポットで貼着した貼着部分を備えることを特徴とする収納ケース。
【請求項２】
前記先端側領域の前記貼着部分に、前記折り目方向に向けた凸形状の切込みを備え、前記ケース本体の前記長辺一側立上り壁の前記貼着部分に、前記凸形状の半切れ部を備えてなることを特徴とする請求項１に記載の収納ケース。
【発明の詳細な説明】
【技術分野】
【０００１】
本発明は、食品包装用のシート状物、例えば、ラップフィルム、アルミホイル、クッキングペーパなどのロール体を収納するとともに、外部に引き出されたシート状物を切断する切刃を備えている収納ケースに関する。
【背景技術】
【０００２】
例えば、ロール状に巻かれたラップフィルムのロール体を収納（包装）するための収納ケース（カートン）としては、種々の構造形態のものが数多く提案されている（例えば、特許文献１および特許文献２などを参照）。
収納ケースは、ロール体が収納される側面視で略正四角形状で横長の略角型柱状（略角型筒状）に、板紙（厚紙）などを用いて形成されている紙製のものが一般的に知られている。
そして、収納ケースは、開口部から必要な長さだけ引き出されたラップフィルムを切断するための金属製の切刃（切断刃、カッター）を備え、この切刃による切断によって、収納ケース内から必要とする長さのラップフィルムが繰り返し供給されるようになっている。
【０００３】
また、収納ケースは、開口部を開閉する蓋体から連設されているシート押え片（ラップ押え片）を備えているとともに、このシート押え片の先端縁（前端縁）にはミシン目などの破断線（引裂き線）を介して連設されて糊接着される開封片を備えている。糊接着は、一般的にスポットで数ヶ所に行われている。これにより、収納ケースは、販売時や未使用時には封止閉じられている。
【先行技術文献】
【特許文献】
【０００４】
【特許文献１】特許第３２５８４８２号公報（段落番号０００９、００１０、および図２参照）
【特許文献２】特開平１０−２５８８３４号公報（段落番号０００９、００１０、および図２、図３、図８参照）
【発明の概要】
【発明が解決しようとする課題】
【０００５】
ところで、収納ケースは、前記したように、販売時や未使用時には閉じられているため、購入後初めて使用するときには、特許文献２の図２および図８に示されているように、開封片を、長辺方向の一端側から破断線に沿ってシート押え片から破断しながら剥がすことで開封する。シート押え片から破断された開封片は廃棄される。
そして、開封後、蓋体を開いて必要な長さだけ引き出したラップフィルムに、特許文献２の図３に示されているように、テンションを掛けつつシート押え片の先端縁に備えられている切刃の刃先にラップフィルムを押し当てて切断するようになっている。
【０００６】
しかしながら、従来技術の収納ケースでは、シート押え片から破断しながら開封片を取り剥がすときに、破断線に沿って開封片が真っ直ぐに破断されずに、その破断がシート押え片側に及んで、シート押え片をも破いてしまうおそれがあった。例えば、シート押え片の表紙部分などが破れてしまうなどによってシート押え片の紙厚が薄くなり、紙厚によるシート押え片本来の剛性が低下ってしまうことがあった。
そのために、従来技術では、日常的に繰り返し使用される過程で、ラップフィルムを切断するたびに繰り返し受けるテンションを掛けた状態での切刃への押し当て応力によって、シート押え片とともに切刃が波を打つように曲がってしまうなどの変形を起こし、ロール状に巻かれているラップフィルムの全てを使い終わる前に、切刃が役に立たなくなってしまうことがあった。
【０００７】
また、特許文献２に記載されている従来技術の収納ケースでは、シート押え片（掩蓋片）の先端部分である折曲げ用罫線により曲げ自在とする帯状領域によって刃先が覆われていることで、販売時や未使用時には勿論、開封後に使用するときにも、うっかり切刃が存在しているシート押え片の先端部分（収納ケースの外側部分）を掴んでしまった場合でも、刃先に指先などを引っ掛けて負傷するなどを防ぐことができるようになっている。
【０００８】
しかしながら、日常的に繰り返し使用される過程で、刃先を覆う帯状領域の刃先を覆う形に戻る復元力が衰えてしまい、刃先を覆うことができない状態になるおそれが残されていた。
つまり、特許文献２の図３に示されているように、引き出されたラップフィルムを切断するときに、刃先を覆う帯状領域が、ラップフィルムの切断引っ張り方向（角度）に応じて折曲げ用罫線から捲れ上がることで、帯状領域によって覆われていた刃先が露出してラップフィルムが切断されるようになっている。
そのために、ラップフィルムの切断が日常的に繰り返されるたびに捲れ上げられる帯状領域の刃先を覆う形に戻るための復元力が徐々に衰え、最終的には刃先を覆う形に戻らなくなるおそれが残されていた。
【０００９】
そこで、本発明は、前記課題を解消するために創案されたものであり、開封が簡単で、開封後、切刃の刃先を覆う保護カバーとして利用することができ、しかも、引き出されたラップフィルムなどのシート状物を切断するとき、シート状物を切刃の刃先との間で挟み込んだ状態でシート状物を切刃に沿わせて速やかに切断することができるように改良された収納ケースを提供することにある。
【課題を解決するための手段】
【００１０】
前記課題を解決するために、本発明では、シート状物のロール体を収納するとともに、外に引き出された前記シート状物を切断する切刃を備えている収納ケースであって、
前記ロール体が収納されるケース本体と、このケース本体から連設されて該ケース本体の開口部を開閉する蓋体と、この蓋体から連設されて前記ケース本体の長辺一側立上り壁に重なり合うシート押え片と、前記長辺一側立上り壁との連設コーナに沿う底面壁に固着されて前記ケース本体内から引き出された前記シート状物を切断する切刃と、を備え、
前記シート押え片は、前記長辺一側立上り壁の全面に沿って重なり、かつ、前記切刃の刃先を覆うように前記連設コーナから飛び出す程度の幅広状に形成され、さらに、当該幅方向の略中央部位に長辺方向の折り目を備えているとともに、飛出し先端縁に開封用指掛け凸部を備えていることを特徴とする。
ここで、前記シート押え片の前記折り目から前記飛出し先端縁に至る先端側領域を、前記ケース本体の前記長辺一側立上り壁の外側にスポットで貼着してなり、前記先端側領域の前記貼着部分に、前記折り目方向に向けた凸形状の切込みを備え、前記ケース本体の前記長辺一側立上り壁の前記貼着部分には前記凸形状の半切れ部を備えてなることが好適なものとなる。
なお、前記半切れ部は、板紙の厚み、略半分程度の深さにて切り込まれた切り線である。
【００１１】
このような構成によれば、開封するとき、一方の手でケース本体を掴み、他方の手の親指を切刃の刃先を覆うように飛び出しているシート押え片の飛出し先端縁に備えられている開封用指掛け凸部に掛けて、該開封用指掛け凸部を外側に押すように力を加える。
すると、シート押え片の先端側領域が折り目から外側に折れ曲がるように倒れ、当該先端側領域のケース本体の長辺一側立上り壁に対する貼着部分が剥離されて開封される。このとき、シート押え片の先端側領域とケース本体の長辺一側立上り壁との貼着部分である半切れ部の内側の表面が層間剥離することとなり、収納ケースが開封される。
【００１２】
また、開封後において、破断されずに残されているシート押え片の先端側領域の飛出し先端縁によって、指先などが刃先に触れることを防ぐ。また、ケース本体内から必要な長さ引き出されたシート状物を、切刃の刃先とシート押え片の先端側領域とで挟み込んだ状態で切断される。このとき、シート状物の端部分を摘む手側でシート状物にテンションを掛けつつ切刃の刃先に押し当てて切断、または、ケース本体を掴む手側でケース本体をひねってシート状物を切刃の刃先に押し当てて切断するものである。
【発明の効果】
【００１３】
本発明の収納ケースによれば、シート押え片の飛出し先端縁に備えられている開封用指掛け凸部に親指を掛け、該開封用指掛け凸部を外側に押すように力を加えて先端側領域を折り目から外側に倒すワンタッチ操作によって簡単に開封することができる。
そして、開封後においては、シート押え片の先端側領域の飛出し先端縁によって切刃の刃先が覆われていることで、指先などが刃先に触れることを防ぐことができる。
【００１４】
また、ケース本体内から必要な長さ引き出されたラップフィルムなどのシート状物を切断するとき、シート状物を切刃の刃先とシート押え片の先端側領域とで挟み込んだ状態で切断することができる。
つまり、シート状物の幅方向全体の切断部分を切刃の刃先とシート押え片の飛出し先端縁側とで押さえ込み、切刃の刃先に押し当てたときにシート状物が滑るように動いてしまうなどを完全に止めた状態でシート状物を切刃に沿わせて速やかに切断することができる。
【図面の簡単な説明】
【００１５】
【図１】本実施形態に係る収納ケースの封緘状態を示す斜視図である。
【図２】同収納ケースの縦断側面図である。
【図３】封緘する前の状態を示す同収納ケースの斜視図である。
【図４】開封後、ケース本体から引き出したラップフィルムを切断するときの状態を示す同収納ケースの縦断側面図である。
【図５】封緘状態の同収納ケースを、ケース本体の底面壁側から見たときの斜視図である。
【図６】同収納ケースの開封状態を示す縦断側面図である。
【発明を実施するための形態】
【００１６】
以下、本発明の実施形態について、適宜図面を参照しながら詳細に説明する。
図１は、本実施形態に係る収納ケースの封緘状態を示す斜視図であり、図２は、同縦断側面図であり、図３は、封緘する前の状態を示す収納ケースの斜視図であり、図４は、ケース本体から引き出したラップフィルムを切断するときの状態を示す収納ケースの縦断側面図である。
なお、食品包装用のシート状物としては、ラップフィルム、アルミホイル、クッキングペーパなどを挙げることができるが、本実施形態については、ラップフィルムＢのロール体ｂを収納する収納ケースＡを一例に挙げて説明する。
【００１７】
≪収納ケースの構成≫
収納ケースＡは、流通のときや販売店などにおける陳列のときに、破損しない程度の強度（方形保持力）を有する厚さの板紙（厚紙）などを用いて、図１および図２に示すように、ロール体ｂを収納し得る大きさを有する側面視で略正四角形状で横長の略角型筒状に形成されているケース本体１を備えている。
そして、収納ケースＡは、ケース本体１の四角四面の一側面（上面）に開口されている開口部２の開口長辺一側縁に沿わせて連設させた蓋体３を備えている。この蓋体３には、ケース本体１の長辺一側立上り壁（以後、「前側立上り壁」と称する）１ａに重なり合わせるラップ押え片４が備えられている。
また、収納ケースＡは、図１および図２に示すように、前側立上り壁１ａとの連設コーナに沿う底面壁１ｂに金属製の切刃５を備えている。
【００１８】
切刃５は、連設コーナからやや前側立上り壁１ａ（図２において紙面左方向）に向けて刃先を突出させた状態で底面壁１ｂに食込み爪などによって固着されている。これにより、ケース本体２から引き出されたラップフィルムＢが、前側立上り壁１ａとラップ押え片４との間に挟み込み保持された状態で切刃５の刃先に押し当てられて切断されるようになっている。
なお、ケース本体１から引き出されたラップフィルムＢの切刃５による切断は、一方の手でケース本体１を掴み、他方の手で引き出したラップフィルムＢの端縁を摘んでテンションを掛けつつ切刃５の刃先にラップフィルムＢを押し当てて切断するやり方と、引き出したラップフィルムＢを食器や容器の上に拡げ被せた状態で、ケース本体１を掴む手でケース本体１をひねってラップフィルムＢにテンションを掛けつつ切刃５の刃先に押し当てて切断するやり方とがある。
【００１９】
≪ラップ押え片の構成≫
ラップ押え片４は、図４に示すように、ケース本体１から必要な長さに引き出されたラップフィルムＢにテンションを掛けつつ切刃５の刃先に押し当てて切断するときに、ラップフィルムＢをケース本体１の前側立上り壁１ａとの間で挟み込むように押え込む役目を成すものである。
このラップ押え片４は、図１〜図３に示すように、ケース本体１の開口部２を覆う蓋体３の先端縁（前端縁）から折り曲げ可能に連設されて、ケース本体１の前側立上り壁１ａの表面全面に沿って重なり、先端縁を底面壁１ｂに固着されて連設コーナから前側立上り壁１ａ側に飛び出している切刃５の刃先を覆うように連設コーナから底面壁１ｂ側に飛び出させた幅広状に形成されている。
そして、ラップ押え片４は、幅方向の略中央部位に長手方向の折り目６を備えているとともに、ケース本体１の底面壁１ｂ側に飛び出させた飛出し先端縁４ａに開封用指掛け凸部７を備えている。
【００２０】
また、ラップ押え片４は、折り目６から飛出し先端縁４ａに至る幅方向の先端側領域４ｂをケース本体１の前側立上り壁１ａと数ヶ所のスポットで貼着することで、収納ケースＡが封緘されるようにしている。
【００２１】
≪折り目の構成≫
折り目６は、ラップ押え片４の長辺方向にわたり筋状に形成される押罫（罫線）であり、収納ケースＡを開封するときに、ラップ押え片４の先端側領域４ｂがケース本体１の前側立上り壁１ａから離れる外側に向けて折り曲げられるようになっている。
【００２２】
そして、図１および図３に示すように、折り目６により折り曲げ可能と成してケース本体１の前側立上り壁１ａと数ヶ所のスポットで貼着されるラップ押え片４の先端側領域４ａの貼着部分には切込み８が備えられている。
この切込み８は、先端側領域４ａの長辺方向に等間隔をおいた数ヶ所、例えば、計６ヶ所において、図１および図３に示すように、折り目６の方向に向けた凸形状に切込み形成されている。
具体的に説明すると、切込み８は、開封方向に向かって凸形とする半円状に、先端側領域４ａの表面から裏面に至るように切り込み形成されている。
これにより、ラップ押え片４の先端側領域４ａを折り目６から折り曲げて開封するときに、折り目６方向に向けた半円状の切込み８の反動で後記する半切れ部９を表面から表層剥離し易いようにしている。
なお、図示を省略しているが、切込み８の個数やその形状においては特に限定されるものではない。例えば、折り目６の方向に向けたＵ字状、Ｖ字状、コの字状などの任意の形状に形成することができる。
【００２３】
一方、図３に示すように、ラップ押え片４の先端側領域４ａの各切込み８が貼着されて重なり合うケース本体１の前側立上り壁１ａの表面側における対応する計６ヶ所に半切れ部９が備えられている。
この半切れ部９は、半切れと称するように、ラップ押え片４（ケース本体１）の材料紙である板紙の厚みを表面から略半分程度の深さにて切込みを入れる加工により前側立上り壁１ａの表面に形成されるものである。
【００２４】
≪開封用指掛け凸部の構成≫
開封用指掛け凸部７は、収納ケースＡを開封するときに、後記の図５に示すように、ケース本体１の底面壁１ｂの幅方向両連設コーナに表示されている親指目印Ｓに、両手の親指をそれぞれそえてケース本体１を蓋体３側にそえた人差し指、中指、薬指、小指で挟み込むように掴んだ状態で、ラップ押え片４側に位置する一方の手の親指を掛けるものである。
この開封用指掛け凸部７は、ラップ押え片４の飛出し先端縁４ａの長辺方向における略中央部位において親指を掛けることができる程度の飛び出し幅と高さにて形成されている。
【００２５】
［作用説明］
つぎに、以上のように構成されている本実施形態に係る収納ケースＡについて簡単に説明する。
図５は、封緘状態の収納ケースを、ケース本体の底面壁側から見たときの斜視図であり、図６は、収納ケースの開封状態を示す縦断側面図である。ここでは、図１および図３を適宜参照しながら説明する。
図１に示すように、ラップフィルムＢのロール体ｂを収納する収納ケースＡは、ケース本体１の前側立上り壁ａ１の表面に設けた半切れ部９の表面とラップ押え片４の先端側領域４ａに設けた切込み８の裏面とが糊接着などにより貼着された長辺方向数ヶ所の部分接合部（スポット接合）によって封緘される。
【００２６】
そして、使用者が購入して開封するときには、図５に示すように、ケース本体１の底面壁１ｂに表示されている親指目印Ｓに、両手の親指をそれぞれそえてケース本体１を蓋体３側にそえた人差し指、中指、薬指、小指で挟み込むように掴んだ状態で、ラップ押え片４側に位置する一方の手の親指を開封用指掛け凸部７に掛ける。この状態で開封用指掛け凸部７を外側に押すように力を加えて、図６に示すように、先端側領域４ｂを折り目６から外側に折り曲げる。
これにより、シート押え片４の先端側領域４ｂとケース本体１の前側立上り壁ａ１との長辺方向数ヶ所の部分接合部である半切れ部９の内側の表面が、開封用指掛け凸部７による先端側領域４ｂの外側への層間剥離することによって、収納ケースＡが開封される。
つまり、開封用指掛け凸部７に掛けた親指で開封用指掛け凸部７を外側に押すように力を加えてラップ押え片４の先端側領域４ｂを折り目６から外側に倒すワンタッチ操作によって、収納ケースＡを簡単に開封することができきる。
【００２７】
そして、開封後、使用するときには、図３に示すように、ケース本体１から引き出されたラップフィルムＢを、ラップ押え片４によってケース本体１の前側立上り壁１ａとの間で挟み込み保持した状態でラップフィルムＢにテンションを掛けつつ、なおかつ、切刃５を覆うラップ押え片４の飛出し先端縁４ａ側でラップフィルムＢの切断部分を切刃５の刃先との間に押さえ込んだ状態で切断することができる。
【符号の説明】
【００２８】
Ａ      収納ケース
１      ケース本体
１ａ    前側立上り壁（長辺一側立上り壁）
１ｂ    底面壁
２      開口部
３      蓋体
４      ラップ押え片（シート押え片）
４ａ    飛出し先端縁
４ｂ    先端側領域
５      切刃
５ａ    刃先
６      折り目
７      開封用指掛け凸部
８      切込み
９      半切れ部
Ｂ      ラップフィルム（シート状物）
ｂ      ロール体
【図１】
0005670663.tif 000002
【図２】
0005670663.tif 000003
【図３】
0005670663.tif 000004
【図４】
0005670663.tif 000005
【図５】
0005670663.tif 000006
【図６】
0005670663.tif 000007